(57)【要約】【課題】簡易な構成により使用者の不在を正確に検出して照明を消灯する。【解決手段】照明装置１０は、外部の光源により照明される広域空間に設置され、広域空間の一部である局所空間を照明する照明部１１と、照明部１１の点灯および消灯を制御する照明制御部１８２とを備えるものであって、局所空間の照度である第一照度を検知する照度センサ１３と、広域空間の照度である第二照度を検知する照度センサ１４と、第一照度が第一所定値以上変化したとき、第二照度が第二所定値以上変化したか否かを判定する照度判定処理部１８５とを備え、第二照度が第二所定値以上変化していないと判定された場合、照明制御部１８２は、照明部１１を消灯させる。【選択図】図１
2012022796.tif 000002
【特許請求の範囲】
【請求項１】
外部の光源により照明される広域空間に設置され、
上記広域空間の一部である局所空間を照明する照明部と、上記照明部の点灯および消灯を制御する制御手段とを備える照明装置であって、
上記局所空間の照度である第一照度を検知する第一照度センサと、
上記広域空間の照度である第二照度を検知する第二照度センサと、
上記第一照度が第一所定値以上変化したとき、上記第二照度が第二所定値以上変化したか否かを判定する判定手段とを備え、
上記判定手段にて上記第二照度が上記第二所定値以上変化していないと判定された場合、上記制御手段は、上記照明部を消灯させることを特徴とする照明装置。
【請求項２】
上記判定手段にて上記第二照度が上記第二所定値以上変化していないと判定された時点から計時する計時手段をさらに備え、
上記計時手段による計時が所定時間経過したとき、上記制御手段は、上記照明部を消灯させることを特徴とする請求項１に記載の照明装置。
【請求項３】
上記判定手段は、
上記制御手段が上記照明部を点灯させた直後に上記第一照度センサにて検知した上記第一照度を基準値として、該基準値と、上記第一照度センサにて現在検知している上記第一照度との差の絶対値が、上記第一所定値以上であることを判定することを特徴とする請求項１または２に記載の照明装置。
【請求項４】
上記判定手段は、上記第二照度が上記第二所定値以上変化したと判定したとき、上記基準値を、上記第一照度センサにて現在検知している上記第一照度に更新することを特徴とする請求項３に記載の照明装置。
【請求項５】
上記照明部を支持する支持部をさらに備え、
上記第一照度センサは、上記支持部に取り付けられ、
上記第二照度センサは、上記照明部からの直接光を受光しない位置に取り付けられていることを特徴とする請求項１から４のいずれか１項に記載の照明装置。
【発明の詳細な説明】
【技術分野】
【０００１】
本発明は、照明装置に関するものである。
【背景技術】
【０００２】
従来から、事務用および家庭用などの卓上に設置される電気スタンド等の卓上照明装置に、使用者を検知するための各種センサを搭載し、センサの検知結果に応じて卓上照明装置の光源の制御等を行なう技術が知られている。
【０００３】
例えば、特許文献１には、測距センサによって所定範囲内における使用者の不在を検知すると、光源を制御して自動的に消灯する電気スタンドが開示されている。
【０００４】
また、特許文献２には、熱源検知を行なう焦電センサによって使用者の不在を検知すると、光源を制御して自動的に消灯する照明器具が開示されている。
【０００５】
また、特許文献３には、照度センサによって検知位置の照度変化を検知すると、音や光を発して使用者の居眠りを防止する卓上照明装置が開示されている。
【先行技術文献】
【特許文献】
【０００６】
【特許文献１】特開平１１−１８５５１０号公報（公開日：１９９９年７月９日）
【特許文献２】特開２００２−９８７７２号公報（公開日：２００２年４月５日）
【特許文献３】特開２００１−１５５５３８号公報（公開日：２００１年６月８日）
【発明の概要】
【発明が解決しようとする課題】
【０００７】
しかしながら、特許文献１に開示された電気スタンドは、測距センサに指向性があるため、使用者が着席し得る全ての範囲において使用者が存在しているか否かを正しく検知することができない場合がある。つまり、使用者が定位置から外れた位置に着席している場合、誤って、使用者が不在であると検知する可能性がある。さらに、電気スタンドは、光源部、アーム部、および本体そのものの位置を動かせるため、測距センサの向きが変わると、使用者の検知を正確に行なうことができない。
【０００８】
また、特許文献２に開示された照明器具は、焦電センサが、熱の変化により使用者の有無を検知するものであるため、使用者が着席して動かない状態が続いた場合、誤って、使用者が不在であると検知する可能性がある。
【０００９】
また、特許文献３に開示された卓上照明装置は、検知位置の照度変化により使用者の状態（姿勢）を判断するため、外光の変化によって検知位置の照度が変化した場合、使用者の状態を誤認識する可能性がある。
【００１０】
以上のように、各種センサを搭載した従来の照明装置では、照明の制御などが、期待したとおりに行われない場合があるという問題があった。
【００１１】
本発明は、上記の問題点に鑑みてなされたものであり、その目的は、簡易な構成により使用者の不在を正確に検出して照明を消灯する照明装置を提供することにある。
【課題を解決するための手段】
【００１２】
上記課題を解決するために、本発明に係る照明装置は、外部の光源により照明される広域空間に設置され、上記広域空間の一部である局所空間を照明する照明部と、上記照明部の点灯および消灯を制御する制御手段とを備える照明装置であって、上記局所空間の照度である第一照度を検知する第一照度センサと、上記広域空間の照度である第二照度を検知する第二照度センサと、上記第一照度が第一所定値以上変化したとき、上記第二照度が第二所定値以上変化したか否かを判定する判定手段とを備え、上記判定手段にて上記第二照度が上記第二所定値以上変化していないと判定された場合、上記制御手段は、上記照明部を消灯させることを特徴としている。
【００１３】
上記の構成によれば、第一照度センサにより局所空間の照度である第一照度を検知するとともに、第二照度センサにより広域空間の照度である第二照度を検知する。そして、第一照度が第一所定値以上変化したときであり、かつ、第二照度が第二所定値以上変化していない場合、照明部を消灯させる。
【００１４】
よって、照度の変化を調べるにあたり、自装置の照明光の照度のみを考慮するのではなく、外部の光源の光の照度の変化についても考慮する。
【００１５】
したがって、従来技術よりも正確に、自装置を使用する使用者の不在を検知することができ、該検知に応じて自装置の照明を自動的に消灯させることができるという効果を奏する。
【００１６】
また、複数の照度センサが検知する照度の相関的な変化量に基づく処理を行なうため、自装置の設置状態および使用者の着席状態の影響を大きく受けることなく、使用者の不在を検知することができるという効果を奏する。
【００１７】
さらに、複数の照度センサを用いて簡単に構築可能であるため、本発明に係る照明装置を安価に提供することができるという効果を奏する。
【００１８】
さらに、本発明に係る照明装置は、上記判定手段にて上記第二照度が上記第二所定値以上変化していないと判定された時点から計時する計時手段をさらに備え、上記計時手段による計時が所定時間経過したとき、上記制御手段は、上記照明部を消灯させる構成としてもよい。
【００１９】
上記の構成によれば、第二照度が第二所定値以上変化していないと判定された時点から計時し、該計時が所定時間経過したとき、照明部を消灯させる。
【００２０】
よって、使用者が不在となった時点から所定時間経過すると、自装置の照明を自動的に消灯させることができるという効果を奏する。
【００２１】
さらに、本発明に係る照明装置は、上記判定手段は、上記制御手段が上記照明部を点灯させた直後に上記第一照度センサにて検知した上記第一照度を基準値として、該基準値と、上記第一照度センサにて現在検知している上記第一照度との差の絶対値が、上記第一所定値以上であることを判定する構成としてもよい。
【００２２】
上記の構成によれば、点灯直後の第一照度と、現在検知している第一照度との差の絶対値が、第一所定値以上であることを判定する。
【００２３】
よって、点灯直後の第一照度を基準として、第一照度の変化量を調べる。
【００２４】
したがって、点灯直後から使用者がほぼ動かずに第一照度の変化があまり生じていない場合において、誤って使用者が不在であると判定することが無いという効果を奏する。
【００２５】
さらに、本発明に係る照明装置は、上記判定手段は、上記第二照度が上記第二所定値以上変化したと判定したとき、上記基準値を、上記第一照度センサにて現在検知している上記第一照度に更新する構成としてもよい。
【００２６】
上記の構成によれば、第二照度が第二所定値以上変化したとき、基準値を、現在検知している第一照度に更新する。
【００２７】
よって、外部の光源の光の照度変化に併せて、基準値を適宜更新する。
【００２８】
したがって、外部の光源の光の照度変化の影響を大きく受けることなく、使用者の不在を検知することができるという効果を奏する。
【００２９】
さらに、本発明に係る照明装置は、上記照明部を支持する支持部をさらに備え、上記第一照度センサは、上記支持部に取り付けられ、上記第二照度センサは、上記照明部からの直接光を受光しない位置に取り付けられる構成としてもよい。
【００３０】
上記の構成によれば、支持部に取り付けられた第一照度センサは局所空間の近傍に位置するので、局所空間の照度を正確に検知できるとともに、照明部からの直接光を受光しない位置に取り付けられた第二照度センサは、広域空間のみの照度を検知することが可能な位置にあるので、広域空間の照度を正確に検知できるという効果を奏する。なお、上記の構成は、本発明に係る照明装置が電気スタンド等の卓上照明装置である場合に適している。
【発明の効果】
【００３１】
以上のように、本発明に係る照明装置は、外部の光源により照明される広域空間に設置され、上記広域空間の一部である局所空間を照明する照明部と、上記照明部の点灯および消灯を制御する制御手段とを備える照明装置であって、上記局所空間の照度である第一照度を検知する第一照度センサと、上記広域空間の照度である第二照度を検知する第二照度センサと、上記第一照度が第一所定値以上変化したとき、上記第二照度が第二所定値以上変化したか否かを判定する判定手段とを備え、上記判定手段にて上記第二照度が上記第二所定値以上変化していないと判定された場合、上記制御手段は、上記照明部を消灯させる。
【００３２】
したがって、従来技術よりも正確に、自装置を使用する使用者の不在を検知することができ、該検知に応じて自装置の照明を自動的に消灯させることができるという効果を奏する。
【００３３】
また、複数の照度センサが検知する照度の相関的な変化量に基づく処理を行なうため、自装置の設置状態および使用者の着席状態の影響を大きく受けることなく、使用者の不在を検知することができるという効果を奏する。
【００３４】
さらに、複数の照度センサを用いて簡単に構築可能であるため、本発明に係る照明装置を安価に提供することができるという効果を奏する。
【図面の簡単な説明】
【００３５】
【図１】本発明に係る照明装置の内部構成を示すブロック図である。
【図２】本発明に係る照明装置の設置例を示す模式図である。
【図３】使用者の後上方から外光が射している様子を示す模式図である。（ａ）は、使用者が存在している場合の様子を示す模式図である。（ｂ）は、使用者が不在の場合の様子を示す模式図である。
【図４】使用者の前上方から外光が射している様子を示す模式図である。（ａ）は、使用者が存在している場合の様子を示す模式図である。（ｂ）は、使用者が不在の場合の様子を示す模式図である。
【図５】本発明に係る照明装置における処理の流れの一例を示すフローチャートである。
【図６】使用者の離席により照度が暗くなる場合に本発明に係る照明装置の光源を消灯させる一例を示すタイムチャートである。
【図７】使用者の離席により照度が明るくなる場合に本発明に係る照明装置の光源を消灯させる一例を示すタイムチャートである。
【発明を実施するための形態】
【００３６】
本発明の一実施形態について、図１から図７に基づいて説明すると以下の通りである。
【００３７】
（照明装置の概要）
本発明に係る照明装置１０は、２つ以上の照度センサを用いて使用者が存在するか否かを調べ、使用者が不在である場合、自装置の照明を自動的に消灯する照明装置である。
【００３８】
照明装置１０は、典型的には、卓上に設置される電気スタンド等の、事務用や家庭用の卓上照明装置であることを想定しているので、本実施形態では、照明装置１０は卓上照明装置であるものとして説明する。
【００３９】
そのため、本実施形態では、「使用者が存在する」とは、照明装置１０の設置された机の椅子に使用者が着席していることを意味するものとし、また、「使用者が存在しない（不在である）」とは、照明装置１０の設置された机の椅子に使用者が着席していない（離席している）ことを意味するものとする。
【００４０】
なお、照明装置１０は、必ずしも卓上照明装置に限定されるものではなく、卓上以外の場所に設置される照明装置にも適用可能である。
【００４１】
（照明装置の設置例）
まず、図２を参照しながら、照明装置１０の設置例について説明する。図２は、照明装置１０の設置例を示す模式図である。なお、図２では、照明装置１０の側面が図示されている。
【００４２】
同図に示すように、照明装置１０は、机６の卓上における、使用者２が各種作業を行なう付近を照らすことができるように、机６の卓上に設置されている。
【００４３】
ここで、机６が設置されている空間は、外光４により照らされているものとする。外光４とは、照明装置１０ではない照明装置からの照明光や、太陽光などの、外部の光源からの光である。なお、以下では、外光４により照らされる空間を、広域空間と表記する。
【００４４】
（照明装置の構成）
続いて、照明装置１０の構成について説明する。図２に示すように、照明装置１０は、少なくとも、照明部１１、照度センサ（第一照度センサ）１３、および照度センサ（第二照度センサ）１４を備えている。
【００４５】
照明部１１は、光源１２、および、光源１２の点灯および消灯を制御する駆動回路１５（図２では不図示）を有しており、光源１２の光を出射口１６から出射する。光源１２は、例えば、蛍光灯やＬＥＤ（light emitting diode）などであるが、光源１２の種類は特に限定されるものではない。なお、以下では、照明部１１からの照明光５により照らされる空間を、局所空間と表記する。なお、局所空間は広域空間の一部である。
【００４６】
次に、照度センサ１３について説明する。照度センサ１３は、局所空間の照度を検知するために用いられる。
【００４７】
局所空間の照度を検知するために、照度センサ１３は、受光部を局所空間に向けて取り付けられる。特に、受光部を、使用者２が着席する位置に向けて取り付けることが好ましい。さらに、図２に示すように、照明装置１０が照明部１１を支持する支持部１９を備えている場合、照度センサ１３は支持部１９に取り付けることが好ましい。局所空間の照度を検知するのに適した部位であるからである。
【００４８】
なお、使用者２が存在する場合の局所空間の照度と、使用者２が存在しない場合の局所空間の照度とは、通常、異なる値である場合が多い。なぜならば、使用者２が存在する場合、使用者２の後方から射す外光４は使用者２によって遮蔽されるとともに、使用者２の前方から射す外光４および照明部１１からの照明光５は使用者２の衣服等によって反射されるためである。したがって、本発明では、照度センサ１３にて検知した局所空間の照度の変化を、使用者が存在するか否かの判断材料とする。ただし、外光４の変化によって局所空間の照度が変化することを考慮に入れるために、本発明ではさらに、照度センサ１４を用いる。
【００４９】
次に、照度センサ１４について説明する。照度センサ１４は、外光４により照らされる広域空間の照度を検知するために用いられる。そのため、照度センサ１４は、照明部１１からの直接光を受光しない位置に取り付けることが好ましい。
【００５０】
特に、図２に示すように、照度センサ１４は、照明部１１のうち、出射口１６を除いた部位に取り付けることが好ましい。さらに言えば、照明部１１のうち、出射口１６とは反対側の部位に取り付けることがより好ましい。照明部１１からの直接光を受光せず、かつ、外光４により照らされる広域空間の照度を検知するのに適した部位であるからである。
【００５１】
なお、照度センサ１３および照度センサ１４は、フォトダイオードを含む一般的な照度センサであり、フォトダイオードに入射した光量に応じた電圧値を信号として出力する。つまり、検知した光の光量に応じた電圧値を信号として出力する。
【００５２】
また、照度センサ１３にて検知される照度を、以下では、第一照度と表記する。また、照度センサ１４にて検知される照度を、以下では、第二照度と表記する。
【００５３】
さらに、図２には示していないが、照明装置１０はスイッチ１７を備えている。スイッチ１７は、使用者２による、光源１２を点灯および消灯させる操作を受け付けるものである。なお、以下では、光源１２を点灯させる操作を、点灯操作と表記する。また、光源１２を消灯させる操作を、消灯操作と表記する。
【００５４】
なお、スイッチ１７にて点灯操作が行なわれると、照度センサ１３および照度センサ１４は駆動され、照度を検知可能な状態になるものとする。また、スイッチ１７にて消灯操作が行なわれると、照度センサ１３および照度センサ１４は駆動が停止され、照度を検知しない状態になるものとする。
【００５５】
さらに、図２には示していないが、照明装置１０は、照明部１１、照度センサ１３、照度センサ１４、およびスイッチ１７の各部を制御するための制御部１８を内部に備えている。制御部１８の詳細については後述する。
【００５６】
（使用者が存在しているか否かに応じて照度が変化する様子）
次に、図３および図４を参照しながら、使用者２が存在しているか否かに応じて、照度センサ１３が検知する局所空間の照度が異なる様子について説明する。
【００５７】
まず、使用者２の後上方から机６に向かって外光４が射している場合について、図３を参照しながら説明する。この場合において、図３（ａ）に示すように使用者２が存在するときは、外光４が遮られるため、局所空間の照度は、次の図３（ｂ）に示す場合と比べて小さくなる。
【００５８】
一方、図３（ｂ）に示すように使用者２が不在のときは、外光４が遮られないため、局所空間の照度は、図３（ａ）に示す場合と比べて大きくなる。
【００５９】
次に、外光４が、使用者２の前上方から机６に向かって射している場合について、図４を参照しながら説明する。この場合において、図４（ａ）に示すように使用者２が存在するときは、外光４が使用者２の衣服等に反射するため、局所空間の照度は、次の図４（ｂ）に示す場合と比べて大きくなる。
【００６０】
一方、図４（ｂ）に示すように使用者２が不在のときは、外光４が使用者２の衣服等に反射しないため、局所空間の照度は、図４（ａ）に示す場合と比べて小さくなる。
【００６１】
なお、図３および４では明示していないが、照明部１１からの照明光についても、使用者２が存在する場合は使用者２の衣服等に反射するとともに、使用者２が不在の場合は使用者２の衣服等に反射しないため、局所空間の照度の変化に影響する。
【００６２】
以上のように、使用者２が存在しているか否かに応じて、局所空間の照度は異なるものとなる。したがって、照度センサ１３にて検知する光の照度に変化が生じた場合、使用者２が着席または離席した可能性があることとなる。
【００６３】
ただし、外光４の照度の変化により局所空間の照度が変化することがあるため、照明装置１０は、さらに、照度センサ１４を用いて外光４の照度に変化が生じたか否かを調べ、外光４の照度に変化が少ない場合に限って局所空間の照度が変化したものとし、使用者２が着席または離席したものとする。
【００６４】
このように、照明装置１０は、照度センサ１３および照度センサ１４を用いることによって、使用者２が存在しているか否かについて従来より正確に調べることができる。
【００６５】
（照明装置の内部構成）
次に、図１を参照しながら、照明装置１０の内部構成について説明する。図１は、照明装置１０の内部構成を示すブロック図である。
【００６６】
図１に示すように、照明装置１０は、照明部１１、照度センサ１３、照度センサ１４、およびスイッチ１７の各部を制御するための制御部１８を備えている。なお、制御部１８は、ＣＰＵ（central processing unit）で構成されていてもよいし、ＡＳＩＣ（application specific integrate circuit）などのハードウェアロジックで構成されていてもよい。制御部１８がＣＰＵで構成されている場合、メモリに記憶されている各種プログラムを、例えばＲＡＭ（random access memory）等で構成される一次記憶部に読み出して実行する。
【００６７】
制御部１８は、操作受付部１８１、照明制御部（制御手段）１８２、センサ制御部１８３、照度判定処理部（判定手段）１８５、および計時部（計時手段）１８６を含んでいる。
【００６８】
操作受付部１８１は、使用者２がスイッチ１７を用いて点灯操作を行なったとき、照明制御部１８２に光源１２を点灯させる旨を指示する。併せて、センサ制御部１８３に対して、照度センサ１３および照度センサ１４を駆動させる旨を指示する。
【００６９】
一方、操作受付部１８１は、使用者２がスイッチ１７を用いて消灯操作を行なったとき、照明制御部１８２に光源１２を消灯させる旨を指示する。併せて、センサ制御部１８３に対して、照度センサ１３および照度センサ１４の駆動を停止させる旨を指示する。
【００７０】
次に、照明制御部１８２について説明する。照明制御部１８２は、操作受付部１８１から、光源１２を点灯させる旨を指示されたとき、駆動回路１５を制御して光源１２を点灯させる。また、操作受付部１８１および計時部１８６から、光源１２を消灯させる旨が指示されたとき、駆動回路１５を制御して光源１２を消灯させる。
【００７１】
次に、センサ制御部１８３について説明する。センサ制御部１８３は、操作受付部１８１から、照度センサ１３および照度センサ１４を駆動させる旨が指示されたとき、照度センサ１３および照度センサ１４を駆動させ、照度を検知可能な状態にする。一方、操作受付部１８１から、照度センサ１３および照度センサ１４の駆動を停止させる旨が指示されたとき、照度センサ１３および照度センサ１４の駆動を停止させ、照度を検知しない状態にする。
【００７２】
次に、照度判定処理部１８５について説明する。照度判定処理部１８５は、照度センサ１３および照度センサ１４が駆動しているとき、照度センサ１３および照度センサ１４にて検知される照度を取得する。
【００７３】
そして、照度判定処理部１８５は、照度センサ１３にて検知された第一照度が所定値（以下、第一所定値ＴＨ１と表記する）以上変化したか否かを調べる。そして、第一照度が第一所定値ＴＨ１以上変化したとき、照度判定処理部１８５は、照度センサ１４にて検知された第二照度が、所定値（以下、第二所定値ＴＨ２と表記する）以上変化したか否かを判定する。
【００７４】
ここで、照度判定処理部１８５は、照度センサ１３が駆動した直後に照度センサ１３にて検知された第一照度を、局所空間の照度の基準値（以下、基準値ＳＶと表記する）として保持する構成とするのが好ましい。この場合、照度判定処理部１８５は、基準値ＳＶを保持するためのメモリを内部に備える。その後、照度センサ１３にて検知された第一照度と基準値ＳＶとの差の絶対値が、第一所定値ＴＨ１以上になったか否かを調べる構成とするのが好ましい。
【００７５】
なお、第二照度が第二所定値ＴＨ２以上変化したとき、第一照度の変化は外光４の変化に起因するものであると判断する。つまり、使用者２が存在していると判断する。一方、第二照度が第二所定値ＴＨ２以上変化しないとき、第一照度の変化は外光４の変化によるものではなく、使用者２が離席したことに起因するものであると判断する。つまり、使用者２が不在になったと判断する。
【００７６】
そして、第二照度が第二所定値ＴＨ２以上変化したと判定したとき、照度判定処理部１８５は、計時を終了する旨を計時部１８６に指示する。一方、第二照度が第二所定値ＴＨ２以上変化しなかったと判定したとき、照度判定処理部１８５は、計時を行なう旨を計時部１８６に指示する。
【００７７】
なお、第二照度が第二所定値ＴＨ２以上変化したと判定したき、照度判定処理部１８５は、基準値ＳＶを更新する構成とするのが好ましい。具体的には、基準値ＳＶとの差の絶対値が第一所定値ＴＨ１以上となったときの第一照度を、基準値ＳＶとして新たに保持する。これにより、外光４の変化に影響されることなく、局所空間の照度の変化をより正確に検知することが可能となる。
【００７８】
また、第一所定値ＴＨ１および第二所定値ＴＨ２は、工場出荷時に予め設定された値であってもよいし、使用者２によって設定および更新可能になっていてもよい。
【００７９】
次に、計時部１８６について説明する。計時部１８６は、照度判定処理部１８５から計時を行なう旨の指示を受けたとき、計時を行なう。これにより、使用者２が不在となってから経過した時間を計時する。なお、既に計時を行なっている場合は、最初から計時をやり直す。
【００８０】
そして、計時部１８６は、連続して計時した時間が所定時間（以下、計時時間ＰＴと表記する）を経過したとき、光源１２を消灯させる旨を照明制御部１８２に指示する。つまり、使用者２が不在となってからの時間が計時時間ＰＴを経過したとき、光源１２を消灯させる。
【００８１】
また、計時部１８６による計時が計時時間ＰＴを経過したとき、計時部１８６は、照度センサ１３および照度センサ１４の駆動を停止させる旨をセンサ制御部１８３に指示するとともに、計時を終了する。
【００８２】
また、計時部１８６は、照度判定処理部１８５から計時を終了する旨の指示を受けたとき、計時を終了する。
【００８３】
なお、計時時間ＰＴは、工場出荷時に予め設定された値であってもよいし、使用者２によって設定および更新可能になっていてもよい。
【００８４】
以上のように構成された制御部１８により、照明装置１０は、光源１２が点灯しているときに、照度センサ１３および照度センサ１４にて第一照度および第二照度を検知する。そして、第一照度が第一所定値以上変化したときにおいて第二照度が第二所定値以上変化していない場合に使用者２が不在になったと判断し、その時点から計時時間ＰＴを経過すると、光源１２を自動的に消灯する。
【００８５】
なお、計時時間ＰＴは「０」に設定されていてもよい。この場合、計時部１８６は、照度判定処理部１８５から計時を行なう旨の指示を受けたとき、直ちに、光源１２を消灯させる旨を照明制御部１８２に指示することとなる。つまり、照明装置１０は、第一照度が第一所定値以上変化したときにおいて第二照度が第二所定値以上変化していない場合に、直ちに、光源１２を自動的に消灯することとなる。
【００８６】
（照明装置における処理の流れ）
次に、図５を参照しながら、照明装置１０における処理の流れの一例について説明する。図５は、照明装置１０における処理の流れの一例を示すフローチャートである。
【００８７】
まず、使用者２が照明装置１０に電源を投入したとき（ステップ（以下、単に“Ｓ”と表記する）１）、光源１２は消灯状態であるものとする（Ｓ２）。そして、使用者２がスイッチ１７にて点灯操作を行なうと（Ｓ３にてＹＥＳ）、操作受付部１８１が、センサ制御部１８３に、照度センサ１３および照度センサ１４を駆動させる（Ｓ４）。併せて、照明制御部１８２に光源１２を点灯させる（Ｓ５）。
【００８８】
そして、照度判定処理部１８５は、照度センサ１３が駆動した直後に、照度センサ１３にて検知した第一照度を、基準値ＳＶとして保持する（Ｓ６）。
【００８９】
続いて、照度判定処理部１８５は、所定期間毎に、第一照度と基準値ＳＶとの差の絶対値が、第一所定値ＴＨ１以上になったか否かを調べる（Ｓ７）。
【００９０】
そして、第一照度と基準値ＳＶとの差の絶対値が第一所定値ＴＨ１以上になったことを検出したとき（Ｓ７にてＹＥＳ）、照度センサ１４にて検知した第二照度が第二所定値ＴＨ２以上変化したか否かを調べる（Ｓ８）。
【００９１】
そして、第二照度が第二所定値ＴＨ２以上変化した場合（Ｓ８にてＹＥＳ）、第一照度照度の変化は外光４の変化に起因するものである（つまり、使用者２が存在している）として、照度判定処理部１８５は基準値ＳＶを更新する（Ｓ９）。
【００９２】
一方、第二照度が第二所定値ＴＨ２以上変化しない場合（Ｓ８にてＮＯ）、第一照度の変化は使用者２が離席した（つまり、使用者２が不在になった）ことに起因するものであるとして、照度判定処理部１８５は、計時部１８６に計時を行なわせる（Ｓ１０）。
【００９３】
また、Ｓ７にて絶対値が第一所定値ＴＨ１より小さい場合において（Ｓ７にてＮＯ）、計時部１８６による計時が計時時間ＰＴを経過していない場合（Ｓ１１にてＮＯ）、使用者２が存在しているものとして、照度判定処理部１８５による処理を継続する（Ｓ７に戻る）。
【００９４】
一方、計時部１８６による計時が計時時間ＰＴを経過した場合（Ｓ１１にてＹＥＳ）、照明制御部１８２に光源１２を消灯させる（Ｓ２に戻る）。このとき、併せて、センサ制御部１８３に、照度センサ１３および照度センサ１４の駆動を停止させる。
【００９５】
（使用者の離席により照度が変化する様子）
次に、図６および図７を参照しながら、使用者２の離席により照度が変化することによって光源１２を消灯させる様子について説明する。
【００９６】
図６は、使用者２の離席により照度が暗くなる場合の一例を示すタイムチャートである。一方、図７は、使用者２の離席により照度が明るくなる場合の一例を示すタイムチャートである。
【００９７】
図６および図７における時刻Ｔ０以前では、光源１２は消灯しているものとする（図５のＳ２に相当）。そして、時刻Ｔ０にスイッチ１７にて点灯操作があるものとする（図５のＳ３に相当）。このとき、センサ制御部１８３に、照度センサ１３および照度センサ１４を駆動させる（図５のＳ４に相当）。さらに、照明制御部１８２に光源１２を点灯させる（図５のＳ５に相当）。
【００９８】
そして、照度判定処理部１８５が、時刻Ｔ０において照度センサ１３にて検知した第一照度（図６では“Ｅ１１”、図７では“Ｅ３１”）を、基準値ＳＶとして保持する（図５のＳ６に相当）。
【００９９】
引き続き、照度判定処理部１８５は、所定期間毎に、第一照度と基準値ＳＶとの差の絶対値が、第一所定値ＴＨ１以上になったか否かを調べる（図５のＳ７に相当）。
【０１００】
そして、時刻Ｔ１において、第一照度が第一所定値ＴＨ１以上変化したものとする（図６では“Ｅ１１”から“Ｅ１２”、図７では“Ｅ３１”から“Ｅ３２”）。このとき、照度判定処理部１８５は、時刻Ｔ１の前後で、照度センサ１４にて検知した第二照度が、第二所定値ＴＨ２以上変化したか否かを調べる。（図５のＳ８に相当）。
【０１０１】
ここで、時刻Ｔ１において、第二照度が第二所定値ＴＨ２以上変化したものとする（図６では“Ｅ２１”から“Ｅ２２”、図７では“Ｅ４１”から“Ｅ４２”）。この場合、第一照度の変化は外光４の変化に起因するものとして、照度判定処理部１８５は基準値ＳＶを更新する（図５のＳ９に相当）。なお、図６に示す場合は、基準値ＳＶを“Ｅ１１”から“Ｅ１２”に更新する。また、図７に示す場合は、基準値ＳＶを“Ｅ３１”から“Ｅ３２”に更新する。
【０１０２】
その後、引き続き、照度判定処理部１８５は、所定期間毎に、第一照度と基準値ＳＶとの差の絶対値が、第一所定値ＴＨ１以上になったか否かを調べる（図５のＳ７に相当）。
【０１０３】
そして、時刻Ｔ２において、第一照度が変化し、第一照度と基準値ＳＶとの差の絶対値が、第一所定値ＴＨ１以上になったものとする（図６では“Ｅ１２”から“Ｅ１３”、図７では“Ｅ３２”から“Ｅ３３”）。このとき、照度判定処理部１８５は、時刻Ｔ１の前後で、第二照度が第二所定値ＴＨ２以上変化したか否かを調べる。（図５のＳ８に相当）。
【０１０４】
ここで、時刻Ｔ２において、第二照度には変化がなかったものとする。この場合、第一照度の変化は外光４の変化によるものではなく、使用者２が離席したことに起因するものであるとして、計時部１８６により計時を行なう（図５のＳ１０に相当）。
【０１０５】
そして、時刻Ｔ２以降、第一照度および第二照度に変化が無く、かつ、時刻Ｔ３において、計時してから計時時間ＰＴを経過したとき（図５のＳ１１に相当）、使用者２が計時時間ＰＴだけ不在であったものとみなして、照明制御部１８２に光源１２を消灯させる（図５のＳ２に相当）。
【０１０６】
（付記事項）
上述では、照明装置１０は、照度センサ１３および照度センサ１４をそれぞれ１つずつ備える構成としたが、この構成に限定されるものではない。照明装置１０は、複数個の照度センサ１３を備えていてもよいし、また、複数個の照度センサ１４を備えていてもよい。複数個の照度センサを備えることにより、局所空間および広域空間の照度をより正確に検知することが可能となる。なお、複数個の照度センサを備える構成としても、照明装置１０のコストは大幅に増加することはない。
【０１０７】
また、照明装置１０は、照度センサ１４にて検知した第二照度の値に応じて、光源１２の光量を制御する構成としてもよい。具体的には、第二照度の値が大きくなれば、光源１２の光量を少なくするように制御し、一方、第二照度の値が小さくなれば、光源１２の光量を大きくするように制御する。これにより、省電力化を図ることができる。
【０１０８】
最後に、照明装置１０の制御部１８の機能は、ハードウェアロジックによって構成してもよいし、次のようにＣＰＵ（central processing unit）を用いてソフトウェアによって実現してもよい。
【０１０９】
ソフトウェアによって実現する場合は、制御部１８は、各機能を実現する制御プログラムの命令を実行するＣＰＵ、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである照明装置１０の制御プログラムのプログラムコード（実行形式プログラム、中間コードプログラム、ソースプログラム）をコンピュータで読み取り可能に記録した記録媒体を、照明装置１０に供給し、そのコンピュータ（またはＣＰＵやＭＰＵ）が記録媒体に記録されているプログラムコードを読み出し実行することによっても、達成可能である。
【０１１０】
このように本明細書において、手段とは必ずしも物理的手段を意味するものではなく、各手段の機能がソフトウェアによって実現される場合も含む。さらに、１つの手段の機能が２つ以上の物理的手段により実現されても、もしくは２つ以上の手段の機能が１つの物理的手段により実現されてもよい。
【０１１１】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１２】
本発明は、照明装置に適用できる。特に、事務用および家庭用の卓上に設置される電気スタンドなどの卓上照明装置に好適に適用できる。
【符号の説明】
【０１１３】
４    外光（外部の光源からの光）
１０    照明装置
１１    照明部
１３    照度センサ（第一照度センサ）
１４    照度センサ（第二照度センサ）
１６    出射口
１９    支持部
１８２    照明制御部（制御手段）
１８５    照度判定処理部（判定手段）
１８６    計時部（計時手段）
ＰＴ    計時時間（所定時間）
ＳＶ    基準値
ＴＨ１  第一所定値
ＴＨ２  第二所定値
【図１】
2012022796.tif 000003
【図２】
2012022796.tif 000004
【図３】
2012022796.tif 000005
【図４】
2012022796.tif 000006
【図５】
2012022796.tif 000007
【図６】
2012022796.tif 000008
【図７】
2012022796.tif 000009